(57)【特許請求の範囲】
【請求項１】
画像形成装置本体と、
前記画像形成装置本体に開閉自在に設けられた開閉部と、
前記画像形成装置本体に着脱自在に設けられ、記録媒体に現像剤像を定着させる定着装置と、
を有し、
前記開閉部は、前記画像形成装置本体に設けられた被噛合部と噛み合う噛合部を備え、
前記噛合部は、前記開閉部が閉動作される際に前記定着装置の一部が前記噛合部の移動軌跡上に位置する場合に、前記定着装置を正規位置に向けて押圧する押圧部を有する画像形成装置。
【請求項２】
前記開閉部は、前記押圧部を付勢する付勢部材を有し、
前記押圧部は、前記付勢部材の付勢力に抗して前記噛合部を前記被噛合部へ案内する案内部を有する請求項１記載の画像形成装置。
【請求項３】
前記押圧部は、前記開閉部が閉じられ、且つ前記定着装置が正規位置に装着された場合は、前記定着装置とは予め定められた距離を隔てている請求項１又は２記載の画像形成装置。
【請求項４】
前記定着装置は、該定着装置の長手方向一端側に設けられた位置決め部を介して前記画像形成装置本体に対して、該定着装置の長手方向の一端側が位置決めされ、
前記押圧部は、前記定着装置の長手方向他端側に配置されている請求項１乃至３いずれか記載の画像形成装置。
【請求項５】
画像形成装置本体と、
前記画像形成装置本体に開閉自在に設けられた開閉部と、
前記画像形成装置に着脱自在に設けられ、記録媒体に現像剤像を定着させる定着装置と、
を有し、
前記開閉部には、前記開閉部の開閉方向と直交する方向に移動可能とされ、前記画像形成装置本体に設けられた被噛合部と噛み合う噛合部が設けられ、
前記画像形成装置本体には突出部が設けられ、
前記開閉部が閉動作された際に、前記噛合部は前記突出部と接触して前記直交する方向に移動させられ、
前記噛合部が前記直交する方向に移動させられた後における、前記開閉部の開閉方向の移動軌跡上に前記定着装置の少なくとも一部が位置する場合に、前記噛合部は前記定着装置を正規位置に向けて押圧することを特徴とする画像形成装置。
【発明の詳細な説明】
【技術分野】
【０００１】
本発明は、画像形成装置に関する。
【背景技術】
【０００２】
特許文献１には、ドアを閉じる動作によりカートリッジを押し込み部でもって途中まで押し込み、その先はばねにより引き込む構成の電子写真画像形成装置及びプロセスカートリッジが開示されている。
【０００３】
特許文献２には、カバーを閉めるとレバーがカートリッジを押してボスを溝へ嵌め込み、カバーを閉め切ると機構が反転してレバーがカートリッジから離れ、カバーを開けると機構が再反転してレバーを突出させる構成の電子写真画像形成装置及びプロセスカートリッジ押込み機構が開示されている。
【０００４】
特許文献３には、開閉カバーの開き動作に追従して定着手段の圧接解除手段で第１と第２の定着部材の圧接を解除させ、開閉カバーの閉まり動作に追従して定着手段の圧接手段で第１と第２の定着部材を圧接解除状態から圧接させつつ、プロセスカートリッジを起動位置へ移動させることを共に行う連動手段を備える構成の画像形成装置が開示されている。
【先行技術文献】
【特許文献】
【０００５】
【特許文献１】特開平１０−２５４３２８号公報
【特許文献２】特許第３３４７６８６号公報
【特許文献３】特開２００５−０７７６１５号公報
【発明の概要】
【発明が解決しようとする課題】
【０００６】
本発明は、定着装置が正規位置からずれて画像形成装置に取り付けられることを防止することができる画像形成装置を提供することを目的とする。
【課題を解決するための手段】
【０００７】
請求項１に係る本発明は、画像形成装置本体と、前記画像形成装置本体に開閉自在に設けられた開閉部と、前記画像形成装置本体に着脱自在に設けられ、記録媒体に現像剤像を定着させる定着装置と、を有し、前記開閉部は、前記画像形成装置本体に設けられた被噛合部と噛み合う噛合部を備え、前記噛合部は、前記開閉部が閉動作される際に前記定着装置の一部が前記噛合部の移動軌跡上に位置する場合に、前記定着装置を正規位置に向けて押圧する押圧部を有する画像形成装置である。
【０００８】
請求項２に係る本発明は、前記開閉部は、前記押圧部を付勢する付勢部材を有し、前記押圧部は、前記付勢部材の付勢力に抗して前記噛合部を前記被噛合部へ案内する案内部を有する請求項１記載の画像形成装置である。
【０００９】
請求項３に係る本発明は、前記押圧部は、前記開閉部が閉じられ、且つ前記定着装置が正規位置に装着された場合は、前記定着装置とは予め定められた距離を隔てている請求項１又は２記載の画像形成装置である。
【００１０】
請求項４に係る本発明は、前記定着装置は、該定着装置の長手方向一端側に設けられた位置決め部を介して前記画像形成装置本体に対して、該定着装置の長手方向の一端側が位置決めされ、前記押圧部は、前記定着装置の長手方向他端側に配置されている請求項１乃至３いずれか記載の画像形成装置である。
【００１１】
請求項５に係る本発明は、画像形成装置本体と、前記画像形成装置本体に開閉自在に設けられた開閉部と、前記画像形成装置に着脱自在に設けられ、記録媒体に現像剤像を定着させる定着装置と、を有し、前記開閉部には、前記開閉部の開閉方向と直交する方向に移動可能とされ、前記画像形成装置本体に設けられた被噛合部と噛み合う噛合部が設けられ、前記画像形成装置本体には突出部が設けられ、前記開閉部が閉動作された際に、前記噛合部は前記突出部と接触して前記直交する方向に移動させられ、前記噛合部が前記直交する方向に移動させられた後における、前記開閉部の開閉方向の移動軌跡上に前記定着装置の少なくとも一部が位置する場合に、前記噛合部は前記定着装置を正規位置に向けて押圧することを特徴とする画像形成装置である。
【発明の効果】
【００１２】
請求項１に係る本発明によれば、定着装置が正規位置からずれて画像形成装置に取り付けられることを防止することができる。
【００１３】
請求項２に係る本発明によれば、請求項１に係る発明の効果に加えて、本構成を有していない場合と比較して、開閉部の開閉動作を円滑にすることができる。
【００１４】
請求項３に係る本発明によれば、請求項１又は２係る発明の効果に加えて、画像形成装置が輸送中等に振動が与えられても、開閉部と定着装置とが接触することが防止され、開閉部と定着装置との接触に起因する破損が防止される。
【００１５】
請求項４に係る本発明によれば、請求項１乃至３いずれかに係る発明の効果に加えて、より確実に定着装置を正規の位置に装着することができる。
【００１６】
請求項５に係る本発明によれば、定着装置が正規位置からずれて画像形成装置に取り付けられることを防止することができる。
【図面の簡単な説明】
【００１７】
【図１】本発明の一実施形態が適用される画像形成装置を示す断面図である。
【図２】本発明の一実施形態が適用される画像形成装置の開閉部が開かれている状態を示す。
【図３】開閉部の拡大斜視図を示す。
【図４】定着装置前側左下方向からの斜視図である。
【図５】定着装置の後側右下方向からの拡大斜視図である。
【図６】枠体の前側右上方向からの斜視図である。
【図７】枠体の左上方部の拡大斜視図である。
【図８】枠体の前側左上方向からの斜視図である。
【図９】定着装置が枠体に装着されている状態を左側から見た側面図である。
【図１０】定着装置が枠体に装着されている状態を後側から見た背面図である。
【図１１】定着装置が枠体に装着されている状態を右側から見た側面図である。
【図１２】定着装置が枠体に装着されている状態を前側から見た正面図である。
【図１３】定着装置を枠体に着脱する途中の状態を前側右上方向から見た斜視図である。
【図１４】定着装置を枠体に着脱する途中の状態を前側から見た正面図である。
【図１５】定着装置を枠体に着脱する途中の状態を上側から見た上面図である。
【図１６】押圧部が定着装置を押し込む動作を説明する説明図である。
【発明を実施するための形態】
【００１８】
本発明の実施形態を図面に基づいて説明する。
図１及び図２は、本発明の一実施形態としての画像形成装置１０の断面図を示す。図１は、開閉部２４が閉じられた状態を示し、図２は、開閉部２４が開かれた状態を示す。
【００１９】
画像形成装置１０は、画像形成装置本体１２を有する。
画像形成装置本体１２には、画像出力部１６に記録媒体を供給する記録媒体供給装置１８と、電源ユニット２０と、画像形成装置１０を構成する各部を制御する制御手段として用いられる制御部２２とが配設されている。
【００２０】
画像形成装置本体１２には、開閉部２４が設けられており、この開閉部２４は、画像形成装置本体１２の下方に設けられた支点２６を中心に回転移動可能となっている。
開閉部２４は、閉じられた状態で、画像形成装置本体１２とともに外部カバーとして機能する。
【００２１】
画像形成装置本体１２の上部には、画像が形成された記録媒体が排出される排出部２８が設けられている。
【００２２】
画像出力部１６は、例えば、イエロー（Ｙ）、マゼンタ（Ｍ）、シアン（Ｃ）、黒（Ｋ）の４色に対応する画像形成部３０Ｙ、３０Ｍ、３０Ｃ、３０Ｋと、現像剤像を記録媒体に転写する転写手段として用いられる転写装置３２とにより構成される。
画像形成部３０Ｙ、３０Ｍ、３０Ｃ、３０Ｋ及びこれらの構成要素は、形成する画像の色以外は同様に構成されている。以下、各色に対応する構成については、Ｙ、Ｍ、Ｃ、Ｋを省略して「画像形成部３０」等のように総称して記載する場合がある。
【００２３】
画像形成部３０は、カラー画像を形成する電子写真方式のものである。
画像形成部３０はそれぞれ、現像剤像を担持する像担持体としてのドラム形状の感光体３４と、この感光体３４を一様に帯電する帯電ロールを備えた帯電手段としての帯電装置３６と、感光体３４に光により静電潜像を書き込む潜像形成手段としての光書き込み装置３８と、感光体３４に書き込まれた潜像を現像剤（トナー）で現像する現像器４０と、感光体３４に残留する廃現像剤を、例えば掻き取ってクリーニングするクリーニング装置４２と、を有する。
【００２４】
光書き込み装置３８はそれぞれ、レーザー露光装置からなり、各色に対応する感光体３４にレーザー光を発し、これらの感光体３４に潜像剤像を書き込むようになっている。
【００２５】
それぞれの画像形成部３０が有する部材のうち感光体３４、帯電装置３６、現像器４０、及びクリーニング装置４２は、交換ユニットとして用いられるプロセスカートリッジ４６として一体化されている。
プロセスカートリッジ４６は、画像形成装置本体１２に対して正面側（図１において左側）から着脱自在に装着されている。
【００２６】
プロセスカートリッジ４６には、現像器４０それぞれに供給される現像剤を収容する交換ユニットとしての現像剤カートリッジ５０が画像形成装置本体１２に対して側面側から着脱自在に装着されている。
現像剤カートリッジ５０の内部にはそれぞれ、現像剤を収容する現像剤収容室５２、及び廃現像剤収容室５４が形成されている。
現像剤カートリッジ５０には対応する色の現像剤が充填（収容）されている。
【００２７】
転写装置３２は、二つの支持ロール６２ａ、６２ｂと、記録媒体を搬送する搬送手段としての搬送ベルト６４と、この搬送ベルト６４に記録媒体を吸着させる吸着手段としての吸着ロール６６と、各感光体３４に対応して設けられ、搬送ベルト６４によって搬送されている記録媒体にこれらの感光体３４に形成された現像剤像をそれぞれ転写する転写ロール６８と、により構成されている。
転写装置３２は、ユニットとして一体化されている。
【００２８】
吸着ロール６６は、搬送ベルト６４を介して支持ロール６２ａに押し付けられて接触する状態で設けられている。吸着ロール６６は、電源ユニット２０から電圧が印加されることで、搬送ベルト６４に静電的に記録媒体を吸着させるようになっている。
【００２９】
転写ロール６８にはそれぞれ転写バイアスが印加されており、感光体３４に形成された現像剤像を、搬送ベルト６４によって搬送されている記録媒体へ順に転写し、記録媒体にＹ、Ｍ、Ｃ、Ｋの４色の現像剤像が重ねられたカラー現像剤像を形成するようになっている。
【００３０】
記録媒体供給装置１８は、記録媒体を積層した状態で収納する記録媒体収納容器７０と、この記録媒体収納容器７０に収納された最上位の記録媒体を抽出し、抽出した記録媒体を画像出力部１６に向けて搬送する搬送ロール７２と、記録媒体を捌き、画像出力部１６に複数枚の記録媒体が重なった状態で搬送されることを防止するリタードロール７４と、を有する。
【００３１】
画像形成装置本体１２内には、記録媒体供給装置１８から供給された記録媒体を排出部２８まで搬送する搬送路７６が設けられている。
搬送路７６に沿って、記録媒体搬送方向上流側から順に、搬送ロール７２及びリタードロール７４、レジストロール７８、転写装置３２、及び定着装置８０が配置されている。
【００３２】
レジストロール７８は、記録媒体供給装置１８側から搬送されてきた記録媒体の先端部を一時的に停止させ、画像形成されるタイミングと合致するように記録媒体を転写装置３２に向けて送り出す。
【００３３】
定着装置８０は、本実施形態においては、排出装置８４と一体に構成されている。定着装置８０は、画像形成装置本体１２に対して着脱自在に装着されている。
【００３４】
定着装置８０は、加熱ロール８２ａ及び加圧ロール８２ｂを有し、これら加熱ロール８２ａと加圧ロール８２ｂとの間を通過する記録媒体を加熱し加圧することで、記録媒体に現像剤像を定着する。
排出装置８４は、定着装置８０により現像剤が定着された記録媒体を、排出部２８に排出する。
【００３５】
画像形成装置本体１２内には、この画像形成装置本体１２の一部を構成する枠体（シャーシ）９０が設けられおり、この枠体９０に画像出力部１６、定着装置８０等が取り付けられ、支持される。
【００３６】
次に、開閉部２４の詳細について説明する。
図３は、開閉部２４の拡大斜視図を示す。
【００３７】
以下、画像形成装置１０を構成する各部の位置（位置関係）を、画像形成装置１０を正面側（図１において左側）から見た場合を基準として、画像形成装置１０の前側、後側、左側、右側、上側、又は下側と表現する場合がある。
また、画像形成装置１０について、前後方向をＸ方向、上下（略鉛直）方向をＹ方向、左右方向をＺ方向として、互いに直交するＸＹＺの方向によって表現する場合がある。
画像形成装置１０の構成する各部については、画像形成装置本体１２に装着された、あるいは閉じられた場合（図１における状態）を基準として、上記位置関係を表現する。
【００３８】
開閉部２４には、ラッチ装置１００が設けられている。ラッチ装置１００は、押圧部１０２及び結合部１０４が左右方向両側に配置された移動部材１０６と、この移動部材１０６を右側方向に付勢する付勢部材１０８と、移動部材１０６を左右方向に移動自在に支持する移動支持部材１１０と、移動部材１０６の右端に設けられ画像形成装置本体１２の外部に露出する開閉操作部１１２と、から構成される。
ラッチ装置１００と、枠体９０に設けられた第１の被噛合部１６２及び第２の被噛合部１７６とにより、開閉部２４の開閉動作が規制される。
【００３９】
押圧部１０２は、右側方向（付勢部材１０８の付勢方向）に突起する噛合部１０２ａと、この噛合部１０２ａから先端に向けて左側に（Ｘ方向からＺ方向に向かうようにして）傾斜する案内部１０２ｂと、先端部１０２ｃと、この先端部１０２ｃから左側方向に向けてＹ方向の長さが小さくなる（薄くなる）ように形成された（左下側方向に傾斜した）傾斜部１０２ｄと、から構成される。
押圧部１０２に傾斜部１０２ｄを設ける場合、本構成を有さない場合と比較して、押圧部１０２の機械的な強度（特に移動方向としてのＺ方向の強度）を維持しながら、Ｙ方向については省スペース化される。
【００４０】
押圧部１０２を後側方向に進行させた場合、案内部１０２ｂの進行経路中に障害物が存在すると、この押圧部１０２は、この案内部１０２ｂに案内されて、付勢部材１０８の付勢に抗してＺ方向に移動するようになっている。
【００４１】
結合部１０４は、右側方向（付勢部材１０８の付勢方向）に突出する噛合部１０４ａと、この噛合部１０４ａから先端に向けて左側に（Ｘ方向からＺ方向に向かうようにして）傾斜する案内部１０４ｂとから構成される。
なお、結合部１０４には、先端から左側方向に向けてＹ方向の長さが小さくなる（薄くなる）ように形成された傾斜部（非図示）を設けるようにしてもよい。
【００４２】
結合部１０４を後側方向に進行させた場合、案内部１０４ｂの進行経路中に障害物が存在すると、結合部１０４は、この案内部１０４ｂに案内されて、付勢部材１０８の付勢に抗してＺ方向に移動するようになっている。
【００４３】
押圧部１０２及び結合部１０４の移動に従って、移動部材１０６はＺ方向に移動する。また、作業者が開閉操作部１１２を左側（画像形成装置本体１２内側方向）に押込むと、付勢部材１０８の付勢に抗して移動部材１０６が左側へ移動するようになっている。
【００４４】
次に、定着装置８０の詳細について説明する。
図４は、定着装置８０の前側左下方向からの斜視図を示し、図５は、定着装置８０の後側右下方向からの拡大斜視図を示す。
【００４５】
定着装置８０は、略箱状の筐体１２２を有する。筐体１２２内に、定着装置８０、排出装置８４、ギア１２４等が収容されている。
ギア１２４は、枠体９０に設けられた駆動源としての駆動ギア（非図示）と噛み合うことで駆動力を受け入れ、定着装置８０の加熱ロール８２ａ及び加圧ロール８２ｂ、排出装置８４等に駆動力を伝達する。
ギア１２４は、筐体１２２の左側に配置されており、この筐体１２２の下側から一部が露出している。
【００４６】
筐体１２２の左側には、枠体９０と左側で接続する第１の位置決め部１２６が設けられている。第１の位置決め部１２６は、ギア１２４の近傍に配置されている。
第１の位置決め部１２６は、第１のボス１２６ａ及び第２のボス１２６ｂから構成される。  
【００４７】
第１のボス１２６ａは、円柱状の突起であり、筐体１２２の左側面から略垂直（Ｚ方向）に突出している。
第２のボス１２６ｂは、第１のボス１２６ａの後側上方に配置された円柱状の突起であり、筐体１２２の左側面から略垂直（Ｚ方向）に突出している。
【００４８】
筐体１２２の右側には、枠体９０と右側で接続する第２の位置決め部１２８が設けられている。
第２の位置決め部１２８は、第３のボス１２８ａ、第４のボス１２８ｂ、及びラッチ１２８ｃから構成される。
【００４９】
第３のボス１２８ａは、円柱状の突起であり、筐体１２２の右側の背面（後側面）から略垂直（Ｘ方向）に突出している。
第４のボス１２８ｂは、円柱状の突起であり、筐体１２２の右側面から略垂直（Ｚ方向）に突出している。
【００５０】
ラッチ１２８ｃは、筐体１２２の右側面に設けられた軸部１３０を軸として揺動する部材であり、引掛け部１３２及び把持部１３４を有する。
引掛け部１３２は、バネなどの弾性部材（非図示）によって上側に向けて付勢されている。ラッチ１２８ｃは、作業者が把持部１３４を把持して、上方に移動させることにより、弾性部材の付勢に抗して引掛け部１３２を下側に移動させることができるようになっている。
【００５１】
引掛け部１３２の先端は曲線状に形成されている。このため、引掛け部１３２（定着装置８０）を後側方向に進行させた場合、この引掛け部１３２の曲線状の部分に障害物が存在すると、Ｘ方向への進行に伴って、引掛け部１３２は弾性部材の付勢に抗して下側に移動するようになっている。
【００５２】
筺体１２２の右側の前面下方には、前側方向に突出する被押圧部１４０が設けられている。被押圧部１４０の左側には、左下側方向に傾斜する傾斜受け１４２が形成されている。
開閉部２４の押圧部１０２の先端部１０２ｃが、被押圧部１４０と接触する際、押圧部１０２の傾斜部１０２ｄが傾斜受け１４２の下側に位置するようになっている。
【００５３】
筐体１２２の右側の背面（後側面）には、定着装置側コネクタ１４４が設けられている。
定着装置側コネクタ１４４は、枠体９０に取り付けられた枠体側コネクタ１８０（図１５等参照）に接続される。
【００５４】
筐体１２２の下側面には、枠体９０と下側で接続する第５のボス１４６が設けられている。
第５のボス１４６は、円柱状の突起であり、筐体１２２の下側面から略垂直（Ｙ方向）に突出している。
【００５５】
次に、枠体９０の詳細について説明する。
図６は、枠体９０の前側右上方向からの斜視図を示し、図７は、枠体９０の左上方部の拡大図を示し、図８は、枠体９０の前側左上方向からの斜視図を示す。
【００５６】
枠体９０は、第１の側部１５２、第２の側部１５４、及び上板部１５６を有する。上板部１５６の上部に、定着装置８０が載置される。
【００５７】
第１の側部１５２は、画像形成装置本体１２内の左側に位置する。第１の側部１５２の上部には、ギア用穴部１５８、及び第１の被位置決め部１６０が設けられている。
第１の側部１５２の前側上方には、第１の被噛合部１６２が設けられている。
【００５８】
ギア用穴部１５８は、定着装置８０のギア１２４が嵌まり込むことで、第１の側部１５２内に配置された駆動ギア（非図示）とこのギア１２４とが噛み合うように設けられている。
第１の被位置決め部１６０は、第１のボス受け１６０ａ及び第２のボス受け１６０ｂから構成される。
【００５９】
第１のボス受け１６０ａは、定着装置８０の第１のボス１２６ａが貫通して嵌められる穴部である。
第１のボス受け１６０ａは、下方側が第１の側部１５２の内側方向に突出するようになっており、下方側と上方側が対向せず、その一部が上側に開放されるように形成されている。すなわち、第１のボス受け１６０ａには、第１のボス１２６ａを上側から嵌めることができるようになっている。
また、第１のボス受け１６０ａは、Ｘ方向及びＹ方向それぞれの長さ（内径）が第１のボス１２６ａの長さ（外径）と略同一となるよう形成されている。
【００６０】
第２のボス受け１６０ｂは、第１のボス受け１６０ａの後側上方に配置されている。第２のボス受け１６０ｂは、定着装置８０の第２のボス１２６ｂが貫通して嵌められる穴部である。
第２のボス受け１６０ｂは、下方側が第１の側部１５２の内側方向に突出するようになっており、下方側と上方側が対向せず、その一部が上側に開放されるように形成されている。すなわち、第２のボス受け１６０ｂには、第２のボス１２６ｂを上側から嵌めることができるようになっている。
また、第２のボス受け１６０ｂは、Ｙ方向の長さが第２のボス１２６ｂの長さと略同一となっており、Ｘ方向の長さが第２のボス１２６ｂの長さよりも大きくなっている。
【００６１】
第１の被噛合部１６２は、開閉部２４の結合部１０４が掛け留めされるようになっている。
【００６２】
第２の側部１５４は、画像形成装置本体１２内の右側に位置する。第２の側部１５４の上方には、第２の被位置決め部１７２、ねじ穴１７４ａ、１７４ｂ、及び第２の被噛合部１７６が設けられている。
【００６３】
第２の被位置決め部１７２は、第３のボス受け１７２ａ、第４のボス受け１７２ｂ、及びラッチ受け１７２ｃから構成される。
【００６４】
第３のボス受け１７２ａは、定着装置８０の第３のボス１２８ａが略Ｘ方向に貫通して嵌められる穴部である。第３のボス受け１７２ａは、Ｙ方向の長さが第３のボス１２８ａの長さと略同一となっており、Ｚ方向の長さが第３のボス１２８ａの長さよりも大きくなっている。
【００６５】
第４のボス受け１７２ｂは、第１の被位置決め部１６０に略対向する位置に配置され、定着装置８０の第４のボス１２８ｂが摺り動いて留められる溝穴部である。第４のボス受け１７２ｂは、前側及び左側（内側）が開放され、上側、下側及び後側が閉じられた構成となっている。第４のボス受け１７２ｂは、閉じられたＹ方向の大きさが第４のボス１２８ｂの大きさと略同一となっている。
【００６６】
ラッチ受け１７２ｃは、定着装置８０のラッチ１２８ｃが略Ｘ方向に貫通して掛け留めされる穴部である。
なお、ラッチ受け１７２ｃ及びラッチ１２８ｃは、例えばスナップフィット等のように、所定の大きさ以上の力が所定の方向に加えられることにより、把持部１３４の移動などを伴うことなく、結合及び結合の解除（着脱）が行われるものであってもよい。
【００６７】
ねじ穴１７４ａ、１７４ｂは、枠体９０側と定着装置８０側とを電気的に接続するための枠体側コネクタ１８０（図１０等参照）を取り付ける穴部である。例えば、枠体側コネクタ１８０は、第３のボス受け１７２ａとラッチ受け１７２ｃとの間に取り付けられるように設けられている。
【００６８】
第２の被噛合部１７６は、Ｘ方向に所定の長さをもち、内側に向かって突出する突出部である。第２の被噛合部１７６は、開閉部２４の押圧部１０２が掛け留めされるようになっている。
第２の被噛合部１７６の先端１７６ａは、Ｚ方向において、押圧部１０２が付勢に従った位置（最も右側）にある場合の案内部１０２ｂの範囲に位置し、開閉部２４が閉動作した際における押圧部１０２の移動軌跡上に突出している。すなわち、開閉部２４が閉じられると、押圧部１０２は、案内部１０２ｂで第２の被噛合部１７６と接触する。
【００６９】
上板部１５６は、第１の側部１５２と第２の側部１５４との間に略水平に設けられた板状部であり、第５のボス受け１６８を有する。
【００７０】
第５のボス受け１６８は、定着装置８０の第５のボス１４６が摺り動いて嵌められる溝穴部である。第５のボス受け１６８は、Ｚ方向の大きさが第５のボス１４６の長さと略同一となっており、前側及び上側が開放され、後側が閉じられた構成となっている。
【００７１】
次に、定着装備８０が正規の位置に装着されている状態の構造について説明する。
図９〜図１２は、定着装置８０が枠体９０に対し正規の位置に装着されている状態の図を示す。
図９は左側から見た側面図、図１０は後側から見た背面図、図１１は右側から見た側面図、及び図１２は前側から見た正面図を示す。
【００７２】
図９に示すように、第１のボス受け１６０ａは、第１のボス１２６ａに対してＸ方向及びＹ方向に遊びがないように形成されている。このため、第１のボス受け１６０ａは、第１のボス１２６ａがＸ方向及びＹ方向に移動することを規制する。
【００７３】
第２のボス受け１６０ｂは、第２のボス１２６ｂに対してＹ方向に遊びがなく、Ｘ方向に遊びがあるように形成されている。このため、第２のボス受け１６０ｂは、第２のボス１２６ｂがＹ方向に移動すること、及び筺体１２２が第１のボス１２６ａを軸として回転することを規制する。
【００７４】
図１０に示すように、第３のボス受け１７２ａは、第３のボス１２８ａに対してＹ方向に遊びがないように形成されている。このため、第３のボス受け１７２ａは、第３のボス１２８ａがＹ方向に移動することを規制すること、及び定着装置８０の筺体１２２が第１のボス１２６ａを軸として回転することを規制する。
【００７５】
図１１に示すように、第４のボス受け１７２ｂは、第４のボス１２８ｂに対してＹ方向に遊びがなく、Ｘ方向（前側）に遊びがあるように形成されている。このため、第４のボス受け１７２ｂは、第４のボス１２８ｂがＹ方向に移動すること、及びラッチ受け１７２ｃと引掛け部１３２との結合部を軸として筺体１２２が回転することを規制する。
【００７６】
図１２に示すように、第５のボス受け１６８は、第５のボス１４６に対してＺ方向に遊びがないように形成されている。このため、第５のボス受け１６８は、第５のボス１４６がＺ方向に移動することを規制する。
【００７７】
ラッチ１２８ｃは、ラッチ受け１７２ｃを略Ｘ方向（前側から後側）に貫通することで、ラッチ受け１７２ｃに掛け留めされる。このため、筺体１２２がＸ方向（前側）に移動することを規制する。
ラッチ１２８ｃは、定着装置８０が正規の位置に装着された場合にラッチ受け１７２ｃに掛け留めされる。すなわち、ラッチ１２８ｃがラッチ受け１７２ｃに掛け留められた場合、定着装置８０は、正規の位置に装着されている。
【００７８】
定着装置８０が正規の位置に装着されている場合、筐体１２２に設けられた定着装置側コネクタ１４４は、枠体９０に取り付けられた枠体側コネクタ１８０に接続される状態となる。また、ギア１２４は、第１の側部１５２内に配置された駆動ギアと噛み合い、駆動力を定着装置８０及び排出装置８４に伝達可能な状態となる。
【００７９】
次に、枠体９０に対する定着装置８０の装着方法及び固定構造について説明する。
図１３〜１５は、定着装置８０の着脱動作の途中の状態の図であり、定着装置８０の左側接合部１２６が枠体９０の左側被接合部１６０に接続されている状態の図を示す。
図１３は、前側右上方向からの斜視図、図１４は、前側から見た正面図、図１５は、上側から見た上面図を示す。
【００８０】
定着装置８０を枠体に装着する動作について説明する。
まず、ラッチ装置１００の開閉操作部１１２を画像形成装置本体１２内側へ押し、このラッチ装置１００による開閉部２４の開閉動作の規制を解除する。そして、開閉部２４を開き、枠体９０が露出した状態とする。
次いで、定着装置８０を左側に傾斜させる。定着装置８０の下部が枠体に接触しない方向から、この定着装置８０を枠体９０に対して移動させ、第１の位置決め部１２６を第１の被位置決め部１６０に接続（挿入）する。
【００８１】
この動作は、第２のボス１２６ｂを第２のボス受け１６０ｂに挿入して定着装置８０のＹ方向への移動を規制してから、第１のボス１２６ａを第１のボス受け１６０ａに挿入してもよい。
第１のボス１２６ａを第２のボス１２６ｂよりも先に挿入するようにしてもよい。また、第１のボス１２６ａと第２のボス１２６ｂとを同時に挿入するようにしてもよい。
【００８２】
続いて、第１のボス受け１６０ａの下方側の縁（図７に示す軸Ｂ）を軸として、定着装置８０を下側（図１４に示す矢印Ｃ方向）に向けて回転移動させる。
【００８３】
続いて、第１のボス受け１６０ａの前側の縁（図７に示す軸Ａ）を軸として、定着装置８０を後側（図１５に示す矢印Ｄ方向）に向けて回転移動させる。
【００８４】
そして、開閉部２４を閉じる。このようにして、定着装置８０は、枠体９０に装着される。
【００８５】
定着装置を後側に向けて回転移動させる際、ラッチ１２８ｃは、引掛け部１３２の曲線部分が、ラッチ受け１７２ｃの内側上面に接触するようになっている。このため、定着装置８０が後側に回転する動作に伴って、この引掛け部１３２が下側に移動される。そして、定着装置８０が所定の位置まで後ろ側に押し込まれると、引掛け部１３２は弾性部材の付勢に従って上側に移動する。
このように、ラッチ１２８ｃは、把持部１３４を引き下げなくても、定着装置８０を装着する動作に従って、ラッチ受け１７２ｃに掛け留めされる。
【００８６】
また、開閉部２４を閉める際、定着装置８０の後側への回転移動が不十分である等して、定着装置８０が正規の位置に装着されていない場合がある。
このような場合、開閉部２４を閉じる動作に従って、この開閉部２４の押圧部１０２が、定着装置８０の被押圧部１４０と接触して、この定着装置８０を後側方向へ押込む。
これにより、定着装置８０は、正規の位置に装着されることとなる。
【００８７】
定着装置８０が正規の位置に装着されている場合、この定着装置８０の第１の位置決め部１２６の第１のボス１２６ａ及び第２のボス１２６ｂはそれぞれ、枠体９０の第１の被位置決め部１６０の第１のボス受け１６０ａ及び第２のボス受け１６０ｂに嵌まった状態となる。
このため、定着装置８０は、その左側がＸ方向及びＹ方向の移動を規制された状態となる。
【００８８】
第２の位置決め部１２８の第３のボス１２８ａ及び第４のボス１２８ｂはそれぞれ、枠体９０の第２の被位置決め部１７２は、第３のボス受け１７２ａ及び第４のボス受け１７２ｂに嵌まった状態となる。また、ラッチ１２８ｃは、ラッチ受け１７２ｃに掛け留めされた状態となる。
このため、定着装置８０は、その右側がＸ方向及びＹ方向の移動を規制された状態となる。
【００８９】
第５のボス１４６は、第５のボス受け１６８に嵌まった状態となる。このため、定着装置８０は、Ｚ方向への移動が規制された状態となる。
定着装置側コネクタ１４４は、枠体側コネクタ１８０に接続された状態となる。
【００９０】
このようにして、定着装置８０は、枠体９０に対して位置決めされるとともにＸ方向、Ｙ方向、及びＺ方向に固定された状態となる。
【００９１】
次に、定着装置８０を枠体９０から離脱する動作について説明する。
まず、開閉部２４を開き、定着装置８０が露出した状態とする。
次いで、把持部１３４を把持して上方に移動させ、ラッチ受け１７２ｃに掛け留めされたラッチ１２８ｃを開放する。
【００９２】
続いて、第１のボス受け１６０ａの前側の縁（図７に示す軸Ａ）を軸として、定着装置８０を前側（図１５に示す矢印Ｃ方向の逆側）に回動させる。ここで、定着装置８０は、定着装置側コネクタ１４４が枠体側コネクタ１８０から外れるまで移動されればよく、例えば定着装置８０を約５度前側に移動させる。
【００９３】
続いて、第１のボス受け１６０ａの下方側の縁（図７に示す軸Ｂ）を軸として、定着装置８０を上側（図１４に示す矢印Ｄ方向の逆側）に向けて回転移動させる。ここで、定着装置８０は、この定着装置８０の右側下部が第２の側部１５４よりも上方に位置するように移動させればよく、例えば定着装置８０を約９度上側に移動させる。
【００９４】
定着装置８０を右側上方（図１３に示す矢印Ｅの方向）に引き抜くことにより、第１の位置決め部１２６と第１の被位置決め部１６０との接続を解除する。
このようにして、定着装置８０は、枠体９０に対して装着されることとなる。
【００９５】
次に、定着装置８０を押し込む動作について説明する。
図１６は、開閉部２４を閉める際の、押圧部１０２と被押圧部１４０との動作を示す図である。
図１６（ａ）は、定着装置８０が、正規の位置に装着されていない状態を示す。
図１６（ｂ）は、定着装置８０が、押圧部１０２によって後側に押し込まれている途中の状態を示す。
図１６（ｃ）は、定着装置８０が、正規の位置に装着されている状態を示す。
【００９６】
図１６（ａ）に示すように、開閉部２４を閉じる動作に伴い、押圧部１０２の案内部１０２ｂが、枠体９０に設けられた第２の被噛合部１７６の先端１７６ａに接触する。
【００９７】
図１６（ｂ）に示すように、案内部１０２ｂが先端１７６ａに接触した状態で、押圧部１０２が後側に進行する（開閉部２４を、さらに閉じる方向に移動させる）と、押圧部１０２は案内部１０２ｂに案内され、付勢部材１０８の付勢に抗して左側へ移動する。そして、押圧部１０２は、噛合部１０２ａが第２の被噛合部１７６の側面部と接触する状態となる。
【００９８】
図１６（ｃ）に示すように、噛合部１０２ａが第２の被噛合部１７６の側面部と接触している状態で、噛合部１０２ａが第２の被噛合部１７６の後側まで進行する（開閉部２４を、さらに閉じる方向に移動させる）と、押圧部１０２は付勢部材１０８の付勢に従って右側に移動する。
これと並行して、結合部１０４は、第１の被噛合部１６２に掛け留めされる。
【００９９】
案内部１０２ｂが先端１７６ａに接触してから、噛合部１０２ａが第２の被噛合部１７６の後側まで進行する間に、定着装置８０が噛合部１０２ａの移動軌跡上に位置する場合、先端部１０２ｃが定着装置８０の被押圧部１４０と接触する。このため、押圧部１０２の進行に伴って、定着装置８０は正規の位置に向けて後側に押し込まれる。
定着装置８０が正常の位置に装着されると、押圧部１０２と被押圧部１４０を含む定着装置８０とは、接触していない状態となる。
【０１００】
上記実施形態においては、開閉部２４により定着装置８０を正常な位置に押し込む構成について説明したが、これに限らず、画像形成装置本体１２に対して着脱自在な他の機能ユニット等に適用するようにしてもよい。
【０１０１】
また、上記実施形態においては、開閉部２４により、定着装置８０をその一端を軸として他端を押し込む構成について説明したが、これに限らず、定着装置８０の両端を移動可能とし、その両端を押し込む構成としてもよい。
【符号の説明】
【０１０２】
１０    画像形成装置
１２    画像形成装置本体
１６    画像出力部
１８    記録媒体供給装置
２４    開閉部
３０    画像形成部
３２    転写装置
８０    定着装置
８４    排出装置
９０    枠体
１００    ラッチ装置
１０２    押圧部
１０４    結合部
１０８    付勢部
１２６    第１の位置決め部
１２８    第２の位置決め部
１４０    被押圧部
１５２    第１の側部
１５４    第２の側部
１５６    上板部
１６０    第１の被位置決め部
１６２    第１の被噛合部
１７２    第２の被位置決め部
１７６    第２の被噛合部
【図１】
0005549869.tif 000002
【図２】
0005549869.tif 000003
【図３】
0005549869.tif 000004
【図４】
0005549869.tif 000005
【図５】
0005549869.tif 000006
【図６】
0005549869.tif 000007
【図７】
0005549869.tif 000008
【図８】
0005549869.tif 000009
【図９】
0005549869.tif 000010
【図１０】
0005549869.tif 000011
【図１１】
0005549869.tif 000012
【図１２】
0005549869.tif 000013
【図１３】
0005549869.tif 000014
【図１４】
0005549869.tif 000015
【図１５】
0005549869.tif 000016
【図１６】
0005549869.tif 000017